(57)【要約】【課題】蔓性植物を確実に排除する蔓性植物巻き上がり防止具を提供する。【解決手段】防止具１０は、地面Ｇから電柱Ｐの上部に向かって傾斜した支線Ｗの途中に配置できる。防止具１０は、防止具本体１と一つ以上の風車２を備える。防止具本体１は、支線Ｗの途中に配置され、支線Ｗを中心部に支持し、両端面を閉塞している。風車２は、基端部を防止具本体１の外壁に回転自在に保持した回転軸２ｓを有し、回転軸２ｓの先端部に羽根車２ｒを固定している。風車２は、少なくとも、防止具本体１の下部に配置されていることが好ましく、防止具１０は、風の力を利用して風車２が回転することで、防止具本体１の外周に巻きつく蔓性植物Ｐｔを確実に切断、又は排除できる。【選択図】図２
2018098881.tif 000002
【特許請求の範囲】
【請求項１】
地面から電柱の上部に向かって傾斜した状態で張設した支線に、蔓性植物が巻き上がることを防止するための蔓性植物巻き上がり防止具であって、
前記支線の途中に配置され、前記支線を中心部に支持し、両端面を閉塞した筒状の防止具本体と、
軸中心が前記防止具本体の遠心方向に配置され、基端部を前記防止具本体の外壁に回転自在に保持した回転軸を有し、この回転軸の先端部に羽根車を固定した一つ以上のプロペラ型の風車と、を備え、
前記風車は、少なくとも、前記防止具本体の下部に配置されている、蔓性植物巻き上がり防止具。
【請求項２】
複数の前記風車を前記防止具本体の軸方向に並列配置している、請求項１記載の蔓性植物巻き上がり防止具。
【請求項３】
隣接し合う前記風車は、前記羽根車の回転方向が異なっている、請求項１又は２記載の蔓性植物巻き上がり防止具。
【請求項４】
一対の前記風車を前記防止具本体の外周方向に相反する向きに配置している、請求項１から３のいずれかに記載の蔓性植物巻き上がり防止具。
【請求項５】
前記羽根車は、前記蔓性植物を切断可能に、一部の端面を鋸刃状に形成している、請求項１から４のいずれかに記載の蔓性植物巻き上がり防止具。
【請求項６】
前記羽根車は、比較的重量のある金属で構成している、請求項１から５のいずれかに記載の蔓性植物巻き上がり防止具。
【発明の詳細な説明】
【技術分野】
【０００１】
本発明は、蔓性植物巻き上がり防止具に関する。特に、電柱を支持する支線に蔓性植物が巻き上がるのを防止するための蔓性植物巻き上がり防止具の構造に関する。
【背景技術】
【０００２】
一般に、電柱は、大地に立設し、高圧配電線を架設している。電柱は、例えば、地面から上部に向けて傾斜した状態で張設された支線により支持されている。この支線には、葛などの蔓性植物が巻き付くことが多い。この蔓性植物が支線に巻き付きながら昇り、高圧配電線まで至ると、地絡事故を発生、又は、架線作業に支障をきたす心配がある。
【０００３】
このため、風車など回転体を支線の途中に取り付けて、蔓性植物が電柱の上部まで巻き上がることを防止する、蔓性植物巻き上がり防止装置が開示されている（例えば、特許文献１参照）。
【先行技術文献】
【特許文献】
【０００４】
【特許文献１】特開２００９−１３１１０２号公報
【発明の概要】
【発明が解決しようとする課題】
【０００５】
特許文献１による蔓性植物巻き上がり防止装は、電柱の支線に回転自在に取り付けられ回転体と、回転体に回転力を付与するサボニウス型の風車と、支線に対して回転体の自由落下を規制するストッパと、を備えている。回転体は、支線に巻き上がる蔓性植物を当接させる当接部を下面に有している。又、回転体は、凹凸形状部を外周に形成している。
【０００６】
特許文献１による蔓性植物巻き上がり防止装は、風車が風を受けると回転し、風車の回転と共に回転体も回転する。これにより、回転体の外周に形成された凹凸形状部が上方に巻き上がろうとする蔓性植物に衝突し、蔓性植物は回転体の中心から遠ざかる方向に導かれ、いずれ自重で垂れ下がることで、蔓性植物が電柱の上部まで巻き上がることを防止できる、としている。
【０００７】
しかしながら、特許文献１による蔓性植物巻き上がり防止装は、回転体の下面に当接する蔓性植物が増加すると、蔓性植物が回転体のブレーキとなってしまい、回転体が安定して回転できなくなる心配がある。回転体の回転が遅くなると、蔓性植物をはじき飛ばす力が弱くなるため、蔓性植物が回転体を越えて支線を上って行く心配がある。
【０００８】
蔓性植物が支線を上って電柱に到達することを確実に防止する蔓性植物巻き上がり防止具が求められている。そして、以上のことが本発明の課題といってよい。
【０００９】
本発明は、このような課題に鑑みてなされたものであり、蔓性植物が支線を上って電柱に到達することを確実に防止する、蔓性植物巻き上がり防止具を提供することを目的とする。
【課題を解決するための手段】
【００１０】
本発明者は、支線を中心部に支持し、両端面を閉塞した筒状の防止具本体と、防止具本体の外壁に回転自在に保持した一つ以上のプロペラ型の風車で蔓性植物巻き上がり防止具を構成し、少なくとも、風車を防止具本体の下部に配置することで、風の力を利用して風車が回転することで、防止具本体の外周に巻きつく蔓性植物を確実に切断、又は排除できると考え、これに基づいて、以下のような新たな蔓性植物巻き上がり防止具を発明するに至った。
【００１１】
（１）本発明による蔓性植物巻き上がり防止具は、地面から電柱の上部に向かって傾斜した状態で張設した支線に、蔓性植物が巻き上がることを防止するための蔓性植物巻き上がり防止具であって、前記支線の途中に配置され、前記支線を中心部に支持し、両端面を閉塞した筒状の防止具本体と、軸中心が前記防止具本体の遠心方向に配置され、基端部を前記防止具本体の外壁に回転自在に保持した回転軸を有し、この回転軸の先端部に羽根車を固定した一つ以上のプロペラ型の風車と、を備え、前記風車は、少なくとも、前記防止具本体の下部に配置されている。
【００１２】
（２）複数の前記風車を前記防止具本体の軸方向に並列配置していることが好ましい。
【００１３】
（３）隣接し合う前記風車は、前記羽根車の回転方向が異なっていることが好ましい。
【００１４】
（４）一対の前記風車を前記防止具本体の外周方向に相反する向きに配置していることが好ましい。
【００１５】
（５）前記羽根車は、前記蔓性植物を切断可能に、一部の端面を鋸刃状に形成していることが好ましい。
【００１６】
（６）前記羽根車は、比較的重量のある金属で構成していることが好ましい。
【発明の効果】
【００１７】
本発明による蔓性植物巻き上がり防止具は、支線を中心部に支持し、両端面を閉塞した筒状の防止具本体と、防止具本体の外壁に回転自在に保持した一つ以上のプロペラ型の風車で蔓性植物巻き上がり防止具を構成し、少なくとも、風車を防止具本体の下部に配置することで、風を利用して風車が回転することで、防止具本体の外周に巻きつく蔓性植物を確実に切断、又は排除できる。
【図面の簡単な説明】
【００１８】
【図１】本発明の一実施形態による蔓性植物巻き上がり防止具の構成を示す正面図であり、蔓性植物巻き上がり防止具を支線の途中に取り付けた状態図である。
【図２】前記実施形態による蔓性植物巻き上がり防止具の構成を示す斜視図である。
【図３】前記実施形態による蔓性植物巻き上がり防止具の構成を示す平面図である。
【図４】前記実施形態による蔓性植物巻き上がり防止具の構成を示す平面図であり、一対の分割円筒体を開いた状態図である。
【図５】前記実施形態による蔓性植物巻き上がり防止具に備わる羽根車の構成を示す正面図である。
【発明を実施するための形態】
【００１９】
以下、図面を参照して本発明を実施するための形態を説明する。
［蔓性植物巻き上がり防止具の構成］
最初に、本発明の一実施形態による蔓性植物巻き上がり防止具の構成を説明する。
【００２０】
図１は、本発明の一実施形態による蔓性植物巻き上がり防止具の構成を示す正面図であり、蔓性植物巻き上がり防止具を支線の途中に取り付けた状態図である。図２は、前記実施形態による蔓性植物巻き上がり防止具の構成を示す斜視図である。
【００２１】
図３は、前記実施形態による蔓性植物巻き上がり防止具の構成を示す平面図である。図４は、前記実施形態による蔓性植物巻き上がり防止具の構成を示す平面図であり、一対の分割円筒体を開いた状態図である。
【００２２】
図５は、前記実施形態による蔓性植物巻き上がり防止具に備わる羽根車の構成を示す正面図である。
【００２３】
（全体構成）
次に、本発明の一実施形態による蔓性植物巻き上がり防止具の全体構成を説明する。図１から図５を参照すると、本発明の一実施形態による蔓性植物巻き上がり防止具（以下、防止具と略称する）１０は、円筒状の防止具本体１と一対三組のプロペラ型の風車２・２を備えている。
【００２４】
図１を参照すると、支線Ｗは、地面Ｇから電柱Ｐの上部に向かって傾斜した状態で張設している。防止具１０は、支線Ｗの途中に配置されている。そして、防止具１０は、蔓性植物Ｐｔが巻き上がることを防止できる。
【００２５】
図１を参照すると、防止具本体１は、支線Ｗの途中に配置されている。図２を参照すると、防止具本体１は、支線Ｗを外周方向から導入できる円形の開口１ｈを中心部に有している。支線Ｗを開口１ｈに導入することで、防止具本体１は、中心部に支線Ｗを支持できる。又、防止具本体１は、その両端を閉塞している。これにより、防止具本体１の内部に蔓性植物Ｐｔが進入することを防止できる。
【００２６】
図２又は図３及び図５を参照すると、風車２は、回転軸２ｓと羽根車２ｒで構成している。回転軸２ｓは、その軸中心が防止具本体１の遠心方向に配置されている（図３参照）。又、回転軸２ｓは、その基端部が防止具本体１の外壁に回転自在に保持されている（図３参照）。羽根車２ｒは、回転軸２ｓの先端部に固定している。
【００２７】
図１から図３を参照して、風車２は、少なくとも、防止具本体１の下部に配置されていることが好ましく、防止具１０は、風の力を利用して風車２が回転することで、防止具本体１の外周に巻きつく蔓性植物Ｐｔを確実に切断、又は排除できる。
【００２８】
（防止具本体の構成）
次に、実施形態による防止具本体１の構成を説明する。図２から図４を参照すると、防止具本体１は、一対の半円筒体１ａ・１ｂで構成している。図４を参照すると、一対の半円筒体１ａ・１ｂは、それらの一端部側を複数のヒンジ部材１１ｈで回動自在に連結している。又、一対の半円筒体１ａ・１ｂは、それらの他端部側を開閉自在に構成している。
【００２９】
図４を参照すると、一対の半円筒体１ａ・１ｂを開くと、支線Ｗを外周方向から導入できる。一対の半円筒体１ａ・１ｂを閉じると、防止具本体１の中心部に支線Ｗを支持できる（図２参照）。
【００３０】
図４を参照すると、一方の半円筒体１ａは、一対の補強リブ１ｒ・１ｒを内部の両端部に備えている。補強リブ１ｒは、複数の半円状のリブ板１１ｒを並設配置している。又、これらのリブ板１１ｒは、支線Ｗを外周方向から導入できる、半円弧状の切り欠き１１１を中心部に形成している。
【００３１】
同様に、図４を参照すると、他方の半円筒体１ｂは、一対の補強リブ１ｒ・１ｒを内部の両端部に備えている。一対の半円筒体１ａ・１ｂを閉じると、対向配置された一組の補強リブ１ｒ・１ｒが支線Ｗを外周方向から挟持できる。
【００３２】
図４を参照すると、防止具本体１は、脱落防止機構３を内部に備えている。脱落防止機構３は、一対の偏心回転体３１・３１で構成している。偏心回転体３１は、部分平歯車３ｇを有し、部分平歯車３ｇの回転中心を偏心させている。
【００３３】
図４を参照して、対向する一対の部分平歯車３ｇ・３ｇの間に、支線Ｗを導入し、一対の部分平歯車３ｇ・３ｇが支線Ｗの外周に噛み合うことで、支線Ｗに対して、防止具１０が移動することを規制できる。つまり、図１を参照して、脱落防止機構３は、防止具１０が地面Ｇ側に移動することを規制できる。
【００３４】
図２又は図３を参照すると、防止具本体１は、複数の円柱状の支持台１ｓを外周に固定している。支持台１ｓは、ベアリング２ｂを内部に備えている（図３参照）。支持台１ｓは、回転軸２ｓの基端部を回転自在に保持している。
【００３５】
（風車の構成）
次に、実施形態による風車２の構成を説明する。図１から図３を参照すると、防止具１０は、防止具本体１の軸方向に風車２を三列に配置している。又、防止具１０は、一対の風車２・２を防止具本体１の外周方向に相反する向きに配置している（図３参照）。
【００３６】
図３を参照すると、防止具本体１の両端部に配置した風車２・２に対して、中央部に配置した風車２は、羽根車２ｒの向きを逆にしている。これにより、同一方向の風に対して、隣接し合う羽根車２ｒ・２ｒの回転方向を異ならせることができる。
【００３７】
図５を参照して、羽根車２ｒは、一部の端面に鋸刃２１ｂを形成することが好ましく、蔓性植物Ｐｔを容易に切断できる。又、羽根車２ｒは、鉄又はステンレス合金などの比較的重量のある金属で構成することが好ましく、羽根車２ｒの慣性力を向上でき、蔓性植物Ｐｔを容易に切断できる。
【００３８】
図３を参照すると、支持台１ｓは、軸受穴１１２を中心部に開口している。そして、軸受穴１１２を介して、回転軸２ｓの基端部がベアリング２ｂに保持されている。そして、回転軸２ｓの先端部側が支持台１ｓから突出した状態で、回転軸２ｓが配置されている。
【００３９】
［蔓性植物巻き上がり防止具の作用］
次に、実施形態による防止具１０の操作方法を説明しながら、防止具１０の作用及び効果を説明する。
【００４０】
最初に、図４を参照して、一対の半円筒体１ａ・１ｂを開いた状態で、一対の半円筒体１ａ・１ｂの間に支線Ｗを導入する。又、支線Ｗを脱落防止機構３に係合する。次に、図２又は図３を参照して、一対の半円筒体１ａ・１ｂを閉じることで、防止具１０を支線Ｗの途中に固定できる（図１参照）。
【００４１】
図１を参照すると、防止具１０は、風の力によって複数の風車２が回転することで、蔓性植物Ｐｔが成長して防止具本体１の下部から側面部へと延びてきた場合に、蔓性植物Ｐｔを防止具本体１の下方に排除又は切断できる。
【００４２】
図１を参照して、実施形態による防止具１０は、蔓性植物Ｐｔが成長して防止具本体１の下部から側面部へと延びてきた場合に、複数の風車２が蔓性植物Ｐｔを防止具本体１の下方に排除又は切断することにより、蔓性植物Ｐｔが防止具１０を越えて電柱Ｐに到達することを防止できる。これにより、蔓性植物Ｐｔの成長に起因する停電を低減できる。
【００４３】
又、図３を参照すると、実施形態による防止具１０は、隣接し合う羽根車２ｒ・２ｒの回転方向を異ならせて、複数の風車２を配置している。実施形態による防止具１０は、このような構成を備えているので、回転方向が異なる一組の羽根車２ｒ・２ｒの間に異物が入り込んだ場合に、異物を回転方向に押し出すことが可能になる。これにより、一組の羽根車２ｒ・２ｒの間に異物が挟まって、羽根車２ｒが回転困難になるといった事象の発生を防止できる。
【００４４】
更に、図５を参照して、羽根車２ｒは、一部の端面に鋸刃２１ｂを形成することが好ましく、蔓性植物Ｐｔを容易に切断できる。又、羽根車２ｒは、比較的重量のある金属で構成することが好ましく、羽根車２ｒの慣性力を向上でき、蔓性植物Ｐｔを容易に切断できる。
【００４５】
実施形態による防止具１０は、六つの風車２を防止具本体１の外周に取り付けているが、少なくとも、防止具本体１の下部に一つの風車２を取り付ければ、蔓性植物Ｐｔを排除できる効果を得ることが可能になる。このため、他の風車２については、適宜、配置を設定することが可能である。又、実施形態による羽根車２ｒは、三枚羽根のものを開示したが、羽根車２ｒは、二枚羽根でもよく、４枚羽根でもよい。
【符号の説明】
【００４６】
１  防止具本体
２  風車
２ｒ  羽根車
２ｓ  回転軸
１０  防止具（蔓性植物巻き上がり防止具）
Ｇ  地面
Ｐ  電柱
Ｐｔ  蔓性植物
Ｗ  支線
【図１】
2018098881.tif 000003
【図２】
2018098881.tif 000004
【図３】
2018098881.tif 000005
【図４】
2018098881.tif 000006
【図５】
2018098881.tif 000007